(57)【特許請求の範囲】
【請求項１】
カメラ及び表示部を備えた携帯型情報処理装置であって、
前記カメラを開閉可能に覆う遮蔽部材が開いたことを検出するためのセンサと、
前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする制御手段と、
を備え、
前記制御手段は、前記センサが遮蔽部材の開いたことを検出して、前記カメラをアクティブ状態とする場合又は前記カメラの撮像画像に基づいて前記遮蔽部材が閉じたことを検出して前記カメラをアクティブ状態から休止状態にする場合には、前記表示部に表示中の画面に応じて異なった方法で前記カメラをアクティブ状態又は休止状態とすることを特徴とする携帯型情報処理装置。
【請求項２】
カメラ及び表示部を備えた携帯型情報処理装置であって、
前記カメラを開閉可能に覆う遮蔽部材が開いたことを検出するためのセンサと、
前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする制御手段と、
を備え、
前記遮蔽部材は、前記携帯型情報処理装置に装着可能なカバーの一部に形成されており、
前記携帯型情報処理装置は、略矩形形状の筐体を備え、前記筐体の前面側に表示部を備え、前記筐体の背面側に前記カメラが配置されており、
前記カバーは、前記筐体に装着され、前記筐体の前面側と背面側の一方を選択的に覆うことが可能なように回転可能に構成されており、
前記遮蔽部材は、前記カバーが前記背面側を覆っている場合において、前記カバーのカメラに対応する位置に折り曲げ可能に構成され、磁石を内部に備えたフラップであり、
前記センサは、前記筐体の背面側に、前記カバーが前記背面側を覆っている場合において、前記フラップが折り曲げられた状態で前記磁石に対応する位置に配置されたホールセンサであることを特徴とする携帯型情報処理装置。
【請求項３】
前記制御手段は、前記センサが遮蔽部材の閉じたことを検出し、さらに、前記カメラの撮像画像に基づいて前記遮蔽部材が閉じたことを検出した場合に、前記カメラをアクティブ状態から休止状態にすることを特徴とする請求項１又は請求項２に記載の携帯型情報処理装置。
【請求項４】
前記制御手段は、前記センサが遮蔽部材の開いたことを検出して、前記カメラをアクティブ状態とした場合のみ、前記カメラの撮像画像に基づいて前記遮蔽部材が閉じたことを検出した場合に、前記カメラをアクティブ状態から休止状態にすることを特徴とする請求項１〜請求項３のいずれか１つに記載の携帯型情報処理装置。
【請求項５】
カメラ及び表示部を有する携帯型情報処理装置と、前記携帯型情報処理装置に装着可能に構成され、前記カメラを開閉可能に覆う遮蔽部材を有するカバーと、を備えた携帯型情報処理システムであって、
前記携帯型情報処理装置は、
前記カメラを開閉可能に覆う遮蔽部材が開いたことを検出するためのセンサと、
前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする制御手段と、
を備え、
前記制御手段は、前記センサが遮蔽部材の開いたことを検出して、前記カメラをアクティブ状態とする場合又は前記カメラの撮像画像に基づいて前記遮蔽部材が閉じたことを検出して前記カメラをアクティブ状態から休止状態にする場合には、前記表示部に表示中の画面に応じて異なった方法で前記カメラをアクティブ状態又は休止状態とすることを特徴とする携帯型情報処理システム。 
【請求項６】
カメラ、表示部、及び前記カメラを開閉可能に覆う遮蔽部材が開いたことを検出するためのセンサと、を備えた携帯型情報処理装置のカメラ制御方法であって、
前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする工程と、
を含み、
前記工程では、前記センサが遮蔽部材の開いたことを検出して、前記カメラをアクティブ状態とする場合又は前記カメラの撮像画像に基づいて前記遮蔽部材が閉じたことを検出して前記カメラをアクティブ状態から休止状態にする場合には、前記表示部に表示中の画面に応じて異なった方法で前記カメラをアクティブ状態又は休止状態とすることを特徴とする携帯型情報処理装置のカメラ制御方法。 
【請求項７】
カメラと、表示部と、及び前記カメラを開閉可能に覆う遮蔽部材が開いたことを検出するためのセンサとを備えた携帯型情報処理装置に搭載されるプログラムであって、
前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする工程と、
をコンピュータに実行させ、
前記工程では、前記センサが遮蔽部材の開いたことを検出して、前記カメラをアクティブ状態とする場合又は前記カメラの撮像画像に基づいて前記遮蔽部材が閉じたことを検出して前記カメラをアクティブ状態から休止状態にする場合には、前記表示部に表示中の画面に応じて異なった方法で前記カメラをアクティブ状態又は休止状態とすることを特徴とするコンピュータが実行可能なプログラム。
【請求項８】
カメラ及び表示部を有する携帯型情報処理装置と、前記携帯型情報処理装置に装着可能に構成され、前記カメラを開閉可能に覆う遮蔽部材を有するカバーと、を備えた携帯型情報処理システムであって、
前記携帯型情報処理装置は、
前記カメラを開閉可能に覆う遮蔽部材が開いたことを検出するためのセンサと、
前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする制御手段と、
を備え、
前記遮蔽部材は、前記携帯型情報処理装置に装着可能なカバーの一部に形成されており、
前記携帯型情報処理装置は、略矩形形状の筐体を備え、前記筐体の前面側に表示部を備え、前記筐体の背面側に前記カメラが配置されており、
前記カバーは、前記筐体に装着され、前記筐体の前面側と背面側の一方を選択的に覆うことが可能なように回転可能に構成されており、
前記遮蔽部材は、前記カバーが前記背面側を覆っている場合において、前記カバーのカメラに対応する位置に折り曲げ可能に構成され、磁石を内部に備えたフラップであり、
前記センサは、前記筐体の背面側に、前記カバーが前記背面側を覆っている場合において、前記フラップが折り曲げられた状態で前記磁石に対応する位置に配置されたホールセンサであることを特徴とする携帯型情報処理システム。 
【請求項９】
カメラ、表示部、及び前記カメラを開閉可能に覆う遮蔽部材が開いたことを検出するためのセンサと、を備えた携帯型情報処理装置のカメラ制御方法であって、
前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする工程と、
を含み、
前記遮蔽部材は、前記携帯型情報処理装置に装着可能なカバーの一部に形成されており、
前記携帯型情報処理装置は、略矩形形状の筐体を備え、前記筐体の前面側に表示部を備え、前記筐体の背面側に前記カメラが配置されており、
前記カバーは、前記筐体に装着され、前記筐体の前面側と背面側の一方を選択的に覆うことが可能なように回転可能に構成されており、
前記遮蔽部材は、前記カバーが前記背面側を覆っている場合において、前記カバーのカメラに対応する位置に折り曲げ可能に構成され、磁石を内部に備えたフラップであり、
前記センサは、前記筐体の背面側に、前記カバーが前記背面側を覆っている場合において、前記フラップが折り曲げられた状態で前記磁石に対応する位置に配置されたホールセンサであることを特徴とする携帯型情報処理装置のカメラ制御方法。 
【請求項１０】
カメラと、表示部と、及び前記カメラを開閉可能に覆う遮蔽部材が開いたことを検出するためのセンサとを備えた携帯型情報処理装置に搭載されるプログラムであって、
前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする工程と、
をコンピュータに実行させ、
前記遮蔽部材は、前記携帯型情報処理装置に装着可能なカバーの一部に形成されており、
前記携帯型情報処理装置は、略矩形形状の筐体を備え、前記筐体の前面側に表示部を備え、前記筐体の背面側に前記カメラが配置されており、
前記カバーは、前記筐体に装着され、前記筐体の前面側と背面側の一方を選択的に覆うことが可能なように回転可能に構成されており、
前記遮蔽部材は、前記カバーが前記背面側を覆っている場合において、前記カバーのカメラに対応する位置に折り曲げ可能に構成され、磁石を内部に備えたフラップであり、
前記センサは、前記筐体の背面側に、前記カバーが前記背面側を覆っている場合において、前記フラップが折り曲げられた状態で前記磁石に対応する位置に配置されたホールセンサであることを特徴とするコンピュータが実行可能なプログラム。 
【発明の詳細な説明】
【技術分野】
【０００１】
本発明は、携帯型情報処理装置、携帯型情報処理システム、携帯型情報処理装置のカメラの制御方法、及びコンピュータが実行可能なプログラムに関する。 
【背景技術】
【０００２】
近時、タブレットやスマートフォン等の各種の携帯型情報処理装置は、１又は複数のカメラを搭載している。また、各種の携帯型情報処理装置では、その本体を保護するための専用カバーやケースが多数使用されている。
【０００３】
専用カバーの中には、カメラ近傍のみを開閉するフラップを備えたものもある。フラップの開閉を検出してカメラの状態（アクティブ／休止状態）を制御する場合に、フラップの開閉を正確に検出する必要がある。フラップの開閉を正確に検出するためには、通常、フラップの開状態と閉状態をそれぞれ検出するために２つのセンサが必要となる。しかしながら、センサを２つ設けるとコストが高くなってしまう。また、レイアウトやスペースの関係でセンサを２つ設けることができない場合もある。
【先行技術文献】
【特許文献】
【０００４】
【特許文献１】特表２０１２−５１９９８９号
【特許文献２】特開平０６−２２１９８号
【発明の概要】
【発明が解決しようとする課題】
【０００５】
本発明は、上記に鑑みてなされたものであって、カメラを開閉可能に覆う遮蔽部材の開閉を検出してカメラの状態を制御する場合に、低コストな構成で遮蔽部材の開閉を正確に検出することが可能な携帯型情報処理装置、携帯型情報処理システム、携帯型情報処理装置のカメラの制御方法、及びコンピュータが実行可能なプログラムを提供することを目的とする。
【課題を解決するための手段】
【０００６】
上述した課題を解決するため、本発明は、カメラ及び表示部を備えた携帯型情報処理装置であって、前記カメラを開閉可能に覆う遮蔽部材が開いたことを検出するためのセンサと、前記センサが、遮蔽部材が開いたことを検出した場合に、前記カメラをアクティブ状態とし、前記カメラの撮像画像に基づいて前記遮蔽部材が閉じたことを検出した場合に、前記カメラをアクティブ状態から休止状態にする制御手段と、を備えたことを特徴とする。
【０００７】
また、本実施の形態の好ましい形態によれば、前記制御手段は、前記センサが遮蔽部材の閉じたことを検出し、さらに、前記カメラの撮像画像に基づいて前記遮蔽部材が閉じたことを検出した場合に、前記カメラをアクティブ状態から休止状態にすることが望ましい。  
【０００８】
また、本実施の形態の好ましい形態によれば、前記制御手段は、前記センサが遮蔽部材の開いたことを検出して、前記カメラをアクティブ状態とした場合のみ、前記カメラの撮像画像に基づいて前記遮蔽部材が閉じたことを検出した場合に、前記カメラをアクティブ状態から休止状態にすることが望ましい。
【０００９】
また、本実施の形態の好ましい形態によれば、前記制御手段は、前記センサが遮蔽部材の開いたことを検出して、前記カメラをアクティブ状態とする場合には、前記表示部に表示中の画面に応じて異なった方法で前記カメラをアクティブ状態とすることが望ましい。
【００１０】
また、本実施の形態の好ましい形態によれば、前記制御手段は、前記カメラの撮像画像に基づいて前記遮蔽部材が閉じたことを検出して前記カメラをアクティブ状態から休止状態にする場合には、前記表示部に表示中の画面に応じて異なった方法で前記カメラを休止状態とすることが望ましい。
【００１１】
また、本実施の形態の好ましい形態によれば、前記遮蔽部材は、前記携帯型情報処理装置に装着可能なカバーの一部に形成されていることが望ましい。
【００１２】
また、本実施の形態の好ましい形態によれば、前記携帯型情報処理装置は、略矩形形状の筐体を備え、前記筐体の前面側に表示部を備え、前記筐体の背面側に前記カメラが配置されており、前記カバーは、前記筐体に装着され、前記筐体の前面側と背面側の一方を選択的に覆うことが可能なように回転可能に構成されており、前記遮蔽部材は、前記カバーが前記背面側を覆っている場合において、前記カバーのカメラに対応する位置に折り曲げ可能に構成され、磁石を内部に備えたフラップであり、前記センサは、前記筐体の背面側に、前記カバーが前記背面側を覆っている場合において、前記フラップが折り曲げられた状態で前記磁石に対応する位置に配置されたホールセンサであることが望ましい。
【００１３】
また、上述した課題を解決するため、本発明は、カメラ及び表示部を有する携帯型情報処理装置と、前記携帯型情報処理装置に装着可能に構成され、前記カメラを開閉可能に覆う遮蔽部材を有するカバーと、を備えた携帯型情報処理システムであって、前記携帯型情報処理装置は、前記カメラを開閉可能に覆う遮蔽部材が開いたことを検出するためのセンサと、前記センサが遮蔽部材が開いたことを検出した場合に、前記カメラをアクティブ状態とし、前記カメラの撮像画像に基づいて前記遮蔽部材が閉じたことを検出した場合に、前記カメラをアクティブ状態から休止状態にする制御手段と、を備えたことを特徴とする。
【００１４】
また、上述した課題を解決するため、本発明は、カメラ、表示部、及び前記カメラを開閉可能に覆う遮蔽部材が開いたことを検出するためのセンサと、を備えた携帯型情報処理装置のカメラ制御方法であって、前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする工程と、を含むことを特徴とする。
【００１５】
また、上述した課題を解決するため、本発明は、カメラと、表示部と、及び前記カメラを開閉可能に覆う遮蔽部材が開いたことを検出するためのセンサとを備えた携帯型情報処理装置に搭載されるプログラムであって、前記センサが遮蔽部材の開いたことを検出した場合に、前記カメラをアクティブ状態とし、前記カメラの撮像画像に基づいて前記遮蔽部材が閉じたことを検出した場合に、前記カメラをアクティブ状態から休止状態にする工程と、をコンピュータに実行させることを特徴とする。
【発明の効果】
【００１６】
本発明によれば、カメラを開閉可能に覆う遮蔽部材の開閉を検出してカメラの状態を制御する場合に、低コストな構成で遮蔽部材の開閉を正確に検出することが可能になるという効果を奏する。 
【図面の簡単な説明】
【００１７】
【図１】図１は、本発明の実施の形態に係る携帯型情報処理装置の模式図である。
【図２】図２は、本実施の形態に係る携帯型情報処理装置の動作を説明するためのフローチャートである。
【図３】図３は、本実施例に係るタブレットＰＣの平面図及び底面図を示している。
【図４】図４は、タブレットＰＣにタブレットＰＣ用カバーが装着された状態を示した図である。
【図５】図５は、タブレットＰＣの概略の構成例を示す図である。
【図６】図６は、フラップのオープン／クローズに応じてカメラの状態（Status）を制御する処理を説明するためのフローチャートである（その１）。
【図７】図７は、フラップのオープン／クローズに応じてカメラの状態（Status）を制御する処理を説明するためのフローチャートである（その２）。
【図８】図８は、携帯型情報処理装置の変形例を説明するための図である。
【図９】図９は、携帯型情報処理装置の変形例を説明するための図である。
【図１０】図１０は、携帯型情報処理装置の変形例を説明するための図である。
【発明を実施するための形態】
【００１８】
以下、本実施の形態に係る携帯型情報処理装置、携帯型情報処理システム、携帯型情報処理装置のカメラの制御方法、及びコンピュータが実行可能なプログラムの実施の形態について説明する。本発明の構成要素は、本明細書の図面に一般に示してあるが、様々な構成で広く多様に配置し設計してもよいことは容易に理解できる。したがって、本発明の装置、方法、およびプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システムおよび方法についての選択した実施の形態を単に示すものである。当業者は、特定の細目の１つ以上が無くても、または他の方法、部品、材料でも本発明を実現できることが理解できる。 
【００１９】
（実施の形態）
図１は、本発明の実施の形態に係る携帯型情報処理装置の模式図である。図１に示すように、本実施の形態に係る携帯型情報処理装置１は、カメラ２と、センサ３と、及び制御手段４とを備えている。
【００２０】
カメラ２は、被写体の画像を撮像するためのものである。センサ３は、カメラ２を開閉可能に覆う遮蔽部材５が開いたことを検出するためのセンサ３である。制御手段４は、センサ３が遮蔽部材５の開いたことを検出した場合に、カメラ２をアクティブ状態とし、カメラ２の撮像画像に基づいて、遮蔽部材５が閉じたことを検出した場合には、カメラ２をアクティブ状態から休止状態にする。
【００２１】
遮蔽部材５は、図１において概念的に示しているが、例えば、携帯型情報処理装置１がタブレットやスマートフォン等のスレートデバイスの場合は、スレートデバイスに装着可能に構成され、かつ、その表示面を開閉可能なカバーやケースの一部として構成することができ、例えば、折り曲げ、直線的または回転的に移動することにより、カメラ２を開閉可能に構成してもよい。また、遮蔽部材５は、カバーやケースの一部として構成する場合に限らず、携帯型情報処理装置１の筐体に形成してもよい。
【００２２】
制御手段４は、ハードウェアやソフトウェア（Ｗｉｎｄｏｗｓ（登録商標）、ｉＯＳ（登録商標）、Ａｎｄｏｒｏｉｄ（登録商標）等のＯＳ、そのＡＰＩ、サービス、ユーティリティ、ドライバ等やアプリケーション等のプログラム）のモジュール、又は、その組み合わせで構成することができる。
【００２３】
図２は、本実施の形態に係る携帯型情報処理装置１の動作を説明するためのフローチャートである。センサ２で遮蔽部材５が開いたこと（オープン）を検出すると（ステップＳ１）、制御手段４は、カメラ２をアクティブ状態にする（ステップＳ２）。制御手段４は、カメラ２の撮像画像に基づいて、遮蔽部材５が閉じたこと（クローズ）を検出すると（ステップＳ３）、カメラ２を休止状態とする（ステップＳ４）。例えば、制御手段４は、カメラ２の撮像画像が黒い場合に遮蔽部材５が閉じたことを検出することにしてもよい。
【００２４】
また、制御手段４は、センサ３が遮蔽部材５の閉じたこと検出し、さらに、カメラ２の撮像画像に基づいて遮蔽部材５が閉じたことを検出した場合に、カメラ２をアクティブ状態から休止状態にしてもよい。
【００２５】
また、制御手段４は、センサ３が遮蔽部材５の開いたことを検出して、カメラ２をアクティブ状態とした場合のみ、カメラ２の撮像画像に基づいて遮蔽部材５が閉じたことを検出した場合にカメラ２をアクティブ状態から休止状態にしてもよい。
【００２６】
また、制御手段４は、センサ３が遮蔽部材５の開いたことを検出して、カメラ２をアクティブ状態とする場合には、表示中の画面に応じて異なった方法でカメラ２をアクティブ状態としてもよい。
【００２７】
また、制御手段４は、カメラ２の撮像画像に基づいて遮蔽部材５が閉じたことを検出してカメラ２をアクティブ状態から休止状態にする場合には、表示中の画面に応じて異なった方法でカメラ２を休止状態としてもよい。
【００２８】
以上説明したように、本実施の形態によれば、カメラ２を開閉可能に覆う遮蔽部材５が開いたことを検出するためのセンサ３と、センサ３が遮蔽部材５の開いたことを検出した場合に、カメラ２をアクティブ状態とし、カメラ２の撮像画像に基づいて遮蔽部材が閉じたことを検出した場合に、カメラ２をアクティブ状態から休止状態にする制御手段５と、を備えているので、カメラを開閉可能に覆う遮蔽部材の開閉を検出してカメラの状態を制御する場合に、低コストな構成で遮蔽部材の開閉を正確に検出することが可能となる。付言すると、センサを１つか使用しないので、低コスト及び省スペースの構成とすることができる。
【００２９】
また、また、制御手段４は、センサ３が遮蔽部材５の閉じたこと検出し、さらに、カメラ２の撮像画像に基づいて遮蔽部材５が閉じたことを検出した場合に、カメラ２をアクティブ状態から休止状態にすることとしたので、より正確に遮蔽部材が閉じたことを検出することができ、また、カメラの撮像画像を常に取得する必要がなくなり、カメラによる消費電力を低減することが可能となる。
【００３０】
また、制御手段４は、センサ３が遮蔽部材５の開いたことを検出して、カメラ２をアクティブ状態とした場合のみ、カメラ２の撮像画像に基づいて遮蔽部材５が閉じたことを検出した場合にカメラ２をアクティブ状態から休止状態にすることにしたので、ユーザの意思でカメラを起動させた場合には、アクティブ状態から休止状態にしないため、ユーザの意思を尊重することができる。
【００３１】
また、制御手段４は、センサ３が遮蔽部材５の開いたことを検出して、カメラ２をアクティブ状態とする場合には、表示中の画面に応じて異なった方法でカメラ２をアクティブ状態とすることとしたので、表示中の画面が如何なるものであってもカメラをアクティブ状態とすることが可能となる。
【００３２】
また、制御手段４は、カメラ２の撮像画像に基づいて遮蔽部材５が閉じたことを検出してカメラ２をアクティブ状態から休止状態にする場合には、表示中の画面に応じて異なった方法でカメラ２を休止状態とすることとしたので、表示中の画面が如何なるものであってもカメラを休止状態とすることが可能となる。
【００３３】
（実施例）
図３〜図１０を参照して、本実施の形態に係る携帯型情報処理装置をタブレットＰＣ１０に適用した実施例を説明する。図３は、本実施例に係るタブレットＰＣの平面図及び底面図を示している。
【００３４】
図３に示すように、タブレットＰＣ１０は、前面１１ａと背面１１ｂを有する略矩形形状の筐体１１を備えている。筐体１１は、例えばアルミや合成樹脂で構成することができる。筐体１１の前面１１ａには、ＬＣＤ１３が配置され、ＬＣＤ１３上にタッチセンサ１２が配置されている。ＬＣＤ１３には各種情報が表示される。タッチセンサ１２は、複数本の指を同時に検出可能なマルチタッチパッドであり、例えば、静電容量式のタッチセンサで構成され、タッチ位置（Ｘ，Ｙ）を検出可能な構成となっている。筐体１１の内部には、電子部品が搭載された回路基板や電源回路（バッテリ）等が収納されている。
【００３５】
筐体１１の背面１１ｂの左上隅表面には、カメラ１４が配置されている。また、筐体１１の背面１１ｂ側の内部には、タブレットＰＣ用カバー２００のフラップ（遮蔽部材）２０３（図４参照）のオープン／クローズを検出するためのホールセンサ１５が設けられている。
【００３６】
図４は、タブレットＰＣ１０にタブレットＰＣ用カバー２００が装着された状態を示した図である。タブレットＰＣ用カバー２００は、タブレットＰＣ１０に装着可能に構成されており、タブレットＰＣ１０に固定するための本体部２０１と、本体部２０１（タブレットＰＣ１０）に対して略３６０度回転可能であり、タブレットＰＣ１０の前面１０ａと背面１１ｂを選択的に覆うことが可能なカバー部２０２と、を備えている。
【００３７】
ユーザは、カバー部２０２を回転させることにより、タブレットＰＣ１０の前面１０ａと背面１１ｂの一方を選択して覆うこと（保護する）が可能となっている。４０３及び４０４に示すように、カバー部２０２は、タブレットＰＣ１０の背面１１ｂを覆った状態において、左上隅に略三角形状のフラップ２０３を備えている。フラップ２０３は、ヒンジ２０３ａの回りを略１８０度回転可能に構成されており、カメラ１４を開閉することが可能となっている。フラップ２０３には、カバー部２０２がタブレットＰＣ１０の背面１１ｂを覆った状態で、フラップ２０３を１８０度回転させた場合（オープンさせた場合＝折った場合）に、ホールセンサ１５と対応する位置に永久磁石２０４が埋め込まれている。
ホールセンサ１５は、永久磁石２０４が近接したことを検出して、フラップ２０３のオープンを検出することが可能となっている。
【００３８】
同図において、４００は、カバー部２０２がタブレットＰＣ１０の前面１１ａを覆っている状態（この状態を０度とする）でタブレットＰＣ１０の前面１１ａを表にした状態を示している。４０１は、カバー部２０２を１８０度回転させた状態でタブレットＰＣ１０の前面１１ａを表にした状態を示し、４０２は、タブレットＰＣ１０の背面１１ｂを表にした状態を示している。４０３は、カバー部２０２を３６０度回転させた状態でタブレットＰＣ１０の背面１１ｂを表にした状態を示しており、フラップ２０３はクローズした状態である。４０４は、フラップ２０３をオープンした状態である。フラップ２０３のクローズ状態とオープン状態をキャッチ又はホールドできるように、例えば、筐体１１，カバー２００、及び／又はフラップ２０３を構成してもよい。
【００３９】
ユーザは、タブレットＰＣ１０を使用していない場合は、カバー部２０２をタブレットＰＣ１０の前面１１ａ側に位置させて、ＬＣＤ１３やタッチセンサ１２が配置されている前面１１ａを保護する（４０１参照）。ユーザは、タブレットＰＣ１０を使用する場合は、カバー部２０２を３６０度回転させて、タブレットＰＣ１０の背面１１ｂ側に位置させて（４０３参照）、前面１１ａを露出させる。
【００４０】
上述したように、フラップ２０３のオープン／クローズを検出してカメラ１４の状態（アクティブ／休止状態）を制御する場合に、フラップ２０３のオープン／クローズを正確に検出する必要がある。ここで、フラップ２０３のオープンはホールセンサ１５で正確に検出することができるが、ホールセンサ１５では、フラップ２０３がオープンしている状態（フラップ２０３が１８０度回転した状態）とオープンしていない状態（０度≦フラップ２０３の回転角度＜１８０度）しか検出することができない。すなわち、ホールセンサ１５では、フラップ２０３が完全にクローズしているか否かは検出することができない。
【００４１】
そのため、フラップ２０４が完全にクローズしている状態を検出するために、カメラ１４の撮像画像の所定割合以上が黒の状態が所定時間継続したか否かを検出して、フラップ２０３のクローズを判定している。他方、カメラ１４の撮像画像のみからフラップ２０３のクローズを検出する構成では、カメラ１４の撮像画像を常時取り込む必要があるため、消費電力が大きくなるという不具合がある。このため、ホールセンサ１５がフラップ２０３のクローズ（オープンではない状態）を検出した場合に、カメラ１４の撮像画像を取得してフラップ２０３のクローズを判定している。
【００４２】
図５は、上記タブレットＰＣ１０の概略の構成例を示す図である。タブレットＰＣ１０は、同図に示すように、ＣＰＵ１０１、ＲＯＭ１０２、メモリ１０３、記憶部１０４、ＬＣＤ１３と、グラフィクスアダプタ１０５と、タッチセンサ１２と、ＵＳＢポート１０６と、通信デバイス１０７と、電源回路１０８と、エンベデッド・コントローラ１０９とを備えており、各部はバスを介して直接または間接的に接続されている。  
【００４３】
ＣＰＵ１０１は、バスを介して接続された記憶部１０４に格納されたＯＳ１１１によりＰＣ１全体の制御を行うとともに、記憶部１０４に格納された各種のプログラムに基づいて処理を実行する機能を司る。ＲＯＭ１０２は、ＢＩＯＳ（Ｂａｓｉｃ  Ｉｎｐｕｔ／Ｏｕｔｐｕｔ  Ｓｙｓｔｅｍ：基本入出力システム）１０２ａやデータ等を格納している。
【００４４】
メモリ１０３は、キャッシュメモリやＲＡＭで構成されており、ＣＰＵ１０４ａの実行プログラムの読み込み領域として、実行プログラムの処理データを書き込む作業領域として利用される書き込み可能メモリである。
【００４５】
記憶部１０４は、例えば、ＳＳＤやＨＤＤ等のストレージデバイスであり、タブレットＰＣ１０の全体の制御を行うためのＯＳ１０４ａ、カメラ１４のオープン／クローズに応じてカメラ１４の状態（Status）を制御するためのサービス１０４ｂ、各種イベントの発生を通知するためのドライバ１０４ｃ、周辺機器類をハードウェア操作するための各種ハードウェア・ドライバ１０４ｄ、カメラ機能を実現するためのカメラ・アプリケーション１０４ｅ、特定業務に向けられた、ブラウザアプリケーション、電子メールアプリ、動画再生アプリ、表計算アプリ、及びワープロアプリ等の他のアプリケーション（不図示）等を記憶する機能を有する。 
【００４６】
ＯＳ１０４ａは、タブレットＰＣ１０の基本的な動作を制御するものであり、各種資源を管理し、例えば、アプリケーションが発生した命令を、ハードウェア・ドライ１０４ｄやＢＩＯＳ１０２ａ等に伝える。また、ＯＳ１０４ａは、マルチタスク機能やスマートレジューム機能を有し、アプリケーションの実行コンテキスト（あるアプリケーションが利用しているレジスタセットやメインメモリイメージ、ファイルハンドルなど）やＧＵＩの部品などのソフトウェア資源の管理も行う。ＢＩＯＳ１０２ａ、サービス１０４ｂ、ドライバ１０４ｃ、ハードウェア・ドライバ１０４ｄ、及びアプリケーション間のデータ送信にはＯＳ１０４ａが介在する。ＯＳ１０４ａとしては、例えば、Ｗｉｎｄｏｗｓ（登録商標）８．１等を使用することができる。
【００４７】
ハードウェア・ドライバ１０４ｃは、例えば、タッチセンサ１２を動作させるためのタッチパッドドライバ、ＬＣＤ１３に画像を表示させるための表示ドライバ、ホールセンサ１５を動作させるためのセンサドライバ等である。 
【００４８】
グラフィクスアダプタ１０５は、ＣＰＵ１０１の制御に従って、表示情報をビデオ信号に変換し、変換したビデオ信号をＬＣＤ１３に出力する。ＬＣＤ１３は、ＣＰＵ１０１の制御に従って、各種情報を表示する機能を有している。通信デバイス１０７は、ネットワーク３０を介してデータの送受信を行うためのものである。
【００４９】
カメラ１４は、レンズと、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子と、ＲＧＢカラーフィルタと、及び信号処理回路等を備えており、レンズで撮像した被写体光をＲ，Ｇ，Ｂのアナログ画像信号に変換した後、Ｒ，Ｇ，Ｂのデジタル画像信号に変換してＣＰＵ１０１に出力する。
【００５０】
電源回路１０８は、ＡＣアダプタ、インテリジェント電池、インテリジェント電池を充電するための充電器、およびＤＣ／ＤＣコンバータ等を備えており、ＣＰＵ１０１の制御に従って、各デバイスに電力を供給する。
【００５１】
タッチセンサ１２は、例えば、静電容量方式のタッチセンサであり、ユーザのタッチ位置を検出して、エンベデッド・コントローラ１０９に出力する。タッチセンサ１２は、ユーザが入力操作を行うためのユーザインターフェースであり、ユーザが、ＬＣＤ１３の画面に表示される各種メニュー、アイコン、ボタン、およびキーボード等の画面オブジェクトを選択して入力操作を行ったり、テキストの入力操作や、スクロールやスワイプ等の画面操作を行うためのものである。
【００５２】
ホールセンサ１５は、タブレットＰＣ１０の背面１１ｂに設けられたカメラ１４に対するタブレットＰＣ用カバー２００のフラップ２０３のオープン／クローズを検出して、検出結果をエンベデッド・コントローラ１０９に出力する。上述したように、フラップ２０３に永久磁石２０４が埋め込まれており、フラップ２０３がオープンした状態で、永久磁石２０４はタブレットＰＣ１０に配置されたホールセンサ１５に接近する。フラップ２０３がオープン状態から戻ると、永久磁石２０４はホールセンサ１５から離れる。ホールセンサ１５は、永久磁石２０４からの磁力を感知することにより、永久磁石２０４が自らに接近しているか否かを検出することができ、そこからフラップ２０３のオープン状態かクローズ状態かを知ることができる。ホールセンサ１５は、フラップ２０３がオープン折り曲げられた状態（１８０度回転した状態）と、それ以外の状態を判別することが可能となっており、ホールセンサ１５は、フラップ２０３が折り曲げられた状態（１８０度回転した状態）をオープン状態、それ以外の状態をクローズ状態として検出する。
【００５３】
エンベデッド・コントローラ１０９は、プロセッサがＲＯＭ等に格納されたプログラムを実行することにより各種処理を行い、タッチセンサ１２及びホールセンサ１５等の動作を制御する。
【００５４】
つぎに、図６及び図７を参照して、上記のように構成される携帯型情報処理装置１０により実行される、フラップ２０３のオープン／クローズに応じてカメラ１４の状態（Status）を制御する処理を説明する。図６及び図７は、フラップ２０３のオープン／クローズに応じてカメラ１４の状態（Status）を制御する処理を説明するためのフローチャートである。タブレットＰＣ１０は、図６及び図７に示すフローを所定周期で繰り返し実行する。なお、フラップ２０３のオープン／クローズに応じてカメラ１４の状態（Status）を制御する処理を実行するか否かをユーザが設定可能な構成としてもよい。例えば、フラップ２０３のオープン／クローズに応じてカメラ４の状態（Status）を制御する処理の有効／無効を設定するための設定画面を設けて、ユーザが有効／無効を設定可能な構成としてもよい。
【００５５】
ユーザがタブレットＰＣ１０の電源ボタン（不図示）を押すと、Ｐｏｗｅｒ  ＯＮとなり、ユーザが、タブレットＰＣ用カバー２００を開けてタブレットＰＣ１０の背面１１ｂ側に回して（図４の４０３参照）、前面１０ａを露出させると、タブレットＰＣ１０が操作可能となる。
【００５６】
図６及び図７において、ホールセンサ１５は、タブレットＰＣ用カバー２００のフラップ２０３のオープンまたはクローズを検出すると（ステップＳ１１の「Ｙｅｓ」）、エンベデッド・コントローラ１０９及びＢＩＯＳ１０２ａを介して、ドライバ１０４ｃにイベントを通知する（ステップＳ１２）。
【００５７】
ドライバ１０４は、レジストリのフラップ２０４のステータスを更新する（ステップＳ１３）。例えば、ドライバ１０４は、ホールセンサ１５がタブレットＰＣ用カバー２００のフラップ２０４のオープンを検出した場合には、レジストリのフラップ２０４のステータスを「１」とし、ホールセンサ１５がタブレットＰＣ用カバー２００のフラップ２０４のクローズを検出した場合には、レジストリのフラップ２０４のステータスを「０」とする。
【００５８】
ＯＳ１０４ａは、レジストリのフラップ２０４のステータスの更新をサービス１０４ｂに通知する（ステップＳ１４）。サービス１０４ｂは、レジストリのフラップ２０４のステータスを参照して、フラップ２０４のオープン／クローズを判断する（ステップＳ１５）。サービス１０４ｂは、フラップ２０４のクローズと判断した場合には、ステップＳ２１に移行する。
【００５９】
サービス１０４ｂは、フラップ２０４のオープンと判断した場合には、カメラ・アプリケーション１０４ｅが起動しているか否かを判断する（ステップＳ１６）。サービス１０４ｂは、カメラ・アプリケーション１０４ｅが起動していると判断した場合には（ステップＳ１６の「Ｙｅｓ」）、当該フローを終了する。
【００６０】
他方、サービス１０４ｂは、カメラ・アプリケーション１０４ｅが起動していないと判断した場合には（ステップＳ１６の「Ｎｏ」）、表示中の画面は、Ｌｏｃｋ  ｓｃｒｅｅｎ画面／ノーマル画面かを判断する（ステップＳ１７）。ノーマル画面である場合には、サービス１０４ｂは、ＡＰＩを介してカメラ・アプリケーション１０４ｅを起動して（ステップＳ１８）、サービス１０４ｂでカメラ・アプリケーション１０４ｅを起動したことをメモリ等に記録して（ステップＳ２０）、当該フローを終了する。
【００６１】
他方、Ｌｏｃｋ  ｓｃｒｅｅｎ画面が表示中の場合には、サービス１０４ｂは、Ｓｗｉｐｅ  Ｄｏｗｎをエミュレートしてカメラ・アプリケーション１０４ｅを起動し（ステップＳ１９）、サービス１０４ｂでカメラ・アプリケーション１０４ｅを起動したことをメモリ等に記録して（ステップＳ２０）、当該フローを終了する。ＯＳ１０４ａは、ノーマル画面でＳｗｉｐｅ  Ｄｏｗｎによりカメラ・アプリケーション１０４ｅを起動させることができ、ここでは、サービス１０４ｂがＳｗｉｐｅ  Ｄｏｗｎをエミュレートしている。
【００６２】
他方、ステップＳ２１では、サービス１０４ｂは、上述の記録を参照して、サービス１０４ｂでカメラ・アプリケーション１０４ｅを起動したか否かを判断する（ステップＳ２１）。サービス１０４ｂでカメラ・アプリケーション１０４ｅを起動していない場合には（ステップＳ２１の「Ｎｏ」）、当該フローを終了する。
【００６３】
他方、サービス１０４ｂでカメラ・アプリケーション１０４ｅを起動した場合には（ステップＳ２１の「Ｙｅｓ」）、サービス１０４ｂは、カメラ１４の撮像画像を取得し（ステップＳ２２）、撮像画像を解析する（ステップＳ２３）。サービス１０４ｂは、撮像画像の所定割合（例えば、９０％）以上が黒いか否かを判断する（ステップＳ２４）。撮像画像の所定割合以上が黒くない場合には（ステップＳ２４の「Ｎｏ」）、ステップＳ２２に戻り、同じ処理を実行する。他方、撮像画像の所定割合以上が黒い場合には（ステップＳ２４の「Ｙｅｓ」）、サービス１０４ｂは、撮像画像の所定割合以上が黒の状態が所定時間（例えば、１０秒）継続したか否かを判断する（ステップＳ２５）。撮像画像の所定割合以上が黒の状態が所定時間継続していない場合には（ステップＳ２５の「Ｎｏ」）、ステップＳ２２に戻り同じ処理を行う。
【００６４】
他方、撮像画像の所定割合以上が黒の状態が所定時間継続した場合には（ステップＳ２５の「Ｙｅｓ」）、サービス１０４ｂは、フラップ２０３のクローズと判断する（ステップＳ２６）。サービス１０４ｂは、表示中の画面はＬｏｃｋ  ｓｃｒｅｅｎ画面／ノーマル画面かを判断する（ステップＳ２７）。ノーマル画面である場合には、Ｓｗｉｐｅをエミュレートして、カメラ・アプリケーション１０４ｅを裏に回し（ステップＳ２９）、当該フローを終了する。これにより、カメラ・アプリケーション１０４ｅは、休止状態となり、カメラ１４も休止状態となる。画面には直前に起動していたアプリケーションの画面が復帰して表示される。なお、直前に起動していたアプリケーションの画面の代わりに、別の画面（例えば、撮影した画像の画面等）を表示することにしてもよい。ＯＳ１０４ａは、ノーマル画面でアプリケーションをＳｗｉｐｅにより裏に回すことができ、ここでは、サービス１０４ｂがＳｗｉｐｅをエミュレートしている。
【００６５】
他方、Ｌｏｃｋ  ｓｃｒｅｅｎ画面である場合には、サービス１０４ｂは、Ｕｎｌｏｃｋボタンの押下をエミュレートして（ステップＳ２８）、カメラ・アプリケーション１０４ｅを終了させて、パスワード入力画面を表示する（ステップＳ３０）。これにより、カメラ１４は休止状態となる。ＯＳ１０４ａは、Ｌｏｃｋ  ｓｃｒｅｅｎ画面でＵｎｌｏｃｋボタンが操作されると、パスワード入力画面を表示することができ、ここでは、サービス１０４ｂがＵｎｌｏｃｋボタンの押下をエミュレートしている。
【００６６】
上記フローでは、ユーザが、クローズ状態にあるフラップ２０３（図４の４０３参照）を折ってオープン状態とすると（図４の４０４参照）、ホールセンサ１５は、タブレットＰＣ用カバー２００のフラップ２０３のオープンを検出し（上記ステップＳ１の「ｙｅｓ」）、ドライバ１０４は、レジストリのフラップ２０４のステータスを更新し（上記ステップＳ１３）、サービス１０４ｂは、カメラ・アプリケーション１０４ｅを起動させて、カメラ１４をアクティブ状態とする（上記ステップＳ１８，Ｓ１９）。
【００６７】
また、ユーザが、オープン状態にあるフラップ２０３（図４の４０４参照）をクローズすると（図４の４０３参照）、ホールセンサ１５は、タブレットＰＣ用カバー２００のフラップ２０３のクローズを検出し（上記ステップＳ１の「ｙｅｓ」）、ドライバ１０４は、レジストリのフラップ２０４のステータスを更新し（上記ステップＳ１３）、サービス１０４ｂは、カメラ１４の撮像画像が所定割合以上、黒の状態が所定時間継続したことを検出し（ステップＳ２５の「Ｙｅｓ」）、カメラ・アプリケーション１０４ｅを休止状態として、カメラ１４を休止状態とする（ステップＳ２９，Ｓ３０）。
【００６８】
また、サービス１０４ｂでカメラ・アプリケーション１０４ｅを起動させた場合のみ、ステップＳ２２〜Ｓ３０の処理を行っているのは、ユーザがカメラ・アプリケーション１０４ｅのアイコンをタップ等して、 カメラ・アプリケーション１０４ｅを起動させてカメラ１４をアクティブにした場合に、フラップ２０３のクローズを検出して、カメラ１４を休止状態とするのは、ユーザの意思に反すると思われるからである。
【００６９】
（変形例）
図８〜図１０を参照して、変形例について説明する。図８〜図１０は、携帯型情報処理装置の変形例を説明するための図である。図３及び図４に示す例では、１つのカメラ１４をタブレットＰＣ１０の背面１１ｂの左上隅に配置し、フラップ２０３の形状を略三角形状とした例を示したが、カメラの個数及び配置位置、並びにフラップ２０３の形状はこれに限られるものではなく、カメラの個数は複数としてもよいし、カメラの配置位置及びフラップ２０３の形状は任意である。例えば、図８は、カメラ１４をタブレットＰＣ１０の裏面１１ｂの略中央上方に配置し、フラップ２０３の形状を略長方形状とした例を示している。図９は、２つのカメラ１４ａ、１４ｂを裏面１１ｂの左上隅及び右上隅に配置し、フラップ２０３の形状を略長方形状とした例を示している。図１０は、カメラ１４を前面１１ａの右上隅に配置し、フラップ２０３の形状を略三角形状とした例を示している。
【００７０】
なお、上記実施例では、携帯型情報処理装置として、タブレットＰＣについて説明したが、本発明はこれに限られるものではなく、例えば、スマートフォン、ＰＤＡ、及びノートＰＣ等の他の携帯型情報処理装置にも適用可能である。また、カバーの形状は上記実施例に限られるものではなく、各種形状のカバーに適用可能である。
【符号の説明】
【００７１】
１  携帯型情報処理装置
２  カメラ
３  センサ
４  制御手段
５  遮蔽部材
１０  タブレットＰＣ
１２  タッチセンサ
１３  ＬＣＤ
１４  カメラ
１５  ホールセンサ
２００  タブレットＰＣ用カバー
２０１  本体部
２０２  カバー部
２０３  フラップ
２０３ａ  ヒンジ
２０４  永久磁石
１０１  ＣＰＵ
１０２  ＲＯＭ
１０３  メモリ
１０４  記憶部
１０４ａ  ＯＳ
１０４ｂ  サービス
１０４ｃ  ドライバ
１０４ｄ  ハードウェア・ドライバ
１０４ｅ  カメラ・アプリケーション
１０５  グラフィクスアダプタ
１０６  ＵＳＢポート
１０７  通信デバイス
１０８  電源回路
【図１】
0005947843.tif 000002
【図２】
0005947843.tif 000003
【図３】
0005947843.tif 000004
【図４】
0005947843.tif 000005
【図５】
0005947843.tif 000006
【図６】
0005947843.tif 000007
【図７】
0005947843.tif 000008
【図８】
0005947843.tif 000009
【図９】
0005947843.tif 000010
【図１０】
0005947843.tif 000011